(57)【特許請求の範囲】
【請求項１】
記録媒体を保持するトレイと、このトレイを移動させて記録媒体をロードあるいはアンロードするローディング機構と、記録媒体に対して記録／再生を行う光ピックアップ装置と、前記トレイ、前記ローディング機構および前記光ピックアップ装置を収納する筐体と、この筐体に取り付けられ、かつ記録媒体の挿入口を有するフロントパネルと、前記トレイに取り付けられ、前記トレイを移動させることによって前記挿入口を開閉させるトレイパネルとを備えた光ディスク装置において、
前記トレイパネルにおける前記トレイとの対向面にボスを立設させ、かつ前記トレイに前記ボスの移動を規制する溝部を設け、前記トレイパネルにばね性を有する係合部を一体成型によって形成し、前記係合部を前記トレイの一部に、前記トレイパネルを前記トレイに対して密着／離間可能に挟持させたことを特徴とする光ディスク装置。
【請求項２】
記録媒体を保持するトレイと、このトレイを移動させて記録媒体をロードあるいはアンロードするローディング機構と、記録媒体に対して記録／再生を行う光ピックアップ装置と、前記トレイ、前記ローディング機構および前記光ピックアップ装置を収納する筐体と、この筐体に取り付けられ、かつ記録媒体の挿入口を有するフロントパネルと、前記トレイに取り付けられ、前記トレイを移動させることによって前記挿入口を開閉させるトレイパネルとを備えた光ディスク装置において、
前記トレイにおける前記トレイパネルとの対向面にボスを立設させ、かつ前記トレイパネルに前記ボスの移動を規制する溝部を設け、前記トレイにばね性を有する係合部を一体成型によって形成し、前記トレイパネルに前記係合部に係合する被係合部を設け、前記係合部を前記被係合部に、前記トレイパネルを前記トレイに対して密着／離間可能に取り付けたことを特徴とする光ディスク装置。
【請求項３】
前記トレイにおける前記トレイパネルと対向する面の一部を傾斜面としたことを特徴とする請求項１または２記載の光ディスク装置。
【請求項４】
前記トレイパネルにおける前記トレイと対向する面の一部を傾斜面としたことを特徴とする請求項１または２記載の光ディスク装置。
【請求項５】
前記トレイにおける前記係合部の当接部位に、前記係合部の一部が嵌合する溝を設けたことを特徴とする請求項１または３記載の光ディスク装置。
【請求項６】
前記トレイパネルにおける前記係合部の当接部位に、前記係合部の一部が嵌合する溝を設けたことを特徴とする請求項２または４記載の光ディスク装置。
【発明の詳細な説明】
【０００１】
【発明の属する技術分野】
本発明は、ＣＤ−Ｒ／ＲＷやＤＶＤ−Ｒ／ＲＷのような情報の書き込みが可能な光ディスクを駆動させる光ディスク装置に関し、特にその防塵機構に関する。
【０００２】
【従来の技術】
ＣＤ−Ｒ／ＲＷドライブは、書き込み可能という性質上、外乱に対して弱く、デリケートな環境を確保することが必要である。そのひとつとして、塵埃の侵入から遮蔽された環境を確保することがあげられる。これは、ドライブ内部に侵入した塵埃が、レーザ、レンズおよび精密駆動部などに付着すると、書き込み性能およびアクチュエータの駆動性能が劣化し、書き込みの失敗といった製品上、致命的な欠陥につながってしまうためである。
【０００３】
ところが、ＣＤ−Ｒ／ＲＷドライブの書き込み、および読み込み速度は、近年、高速化しており、それに伴って、ドライブ内部に発生する空気流はますます増大している。そのため、塵埃をドライブ内部に引き込み易い環境になっており、塵埃による製品の性能を劣化させないためには、一層の塵埃侵入に対する遮蔽性が要求される。
【０００４】
しかし、機械的には、部品精度のばらつき、組立上のばらつき、および部品間のガタなどの理由により、開口部に生じる隙間を遮蔽して密封性を保つには限界がある。
【０００５】
このような点を解決するための従来技術としては、例えば、特開平０５−０１２８４６号公報記載の「光ディスク駆動装置」がある。この公報には、開口部に開閉する回転可能なシャッターを設け、外部からの塵埃の侵入を防ぐ構成が記載されている。また、特開平１０−４０６７１号公報には、トレイとトレイパネル間を別部品のばねにより結合し、ばね力にて常に密封される方向にトレイパネルを付勢することにより密封性を保つ方法が記載されている。
【０００６】
図１３，図１４は他の従来技術を示す説明図であり、図１３（ａ）はフロントパネルの正面図、図１３（ｂ）は図１３（ａ）のＡＡ線断面図、図１４（ａ）はトレイ搬送中の状態を示す断面図、図１４（ｂ）はトレイ搬送完了時を示す断面図であり、５０はフロントパネル、５１はディスク状記録媒体を載置するトレイ、５２はトレイ５１の前面に取り付けられたトレイパネル、５３は、フロントパネル５０の前面に形成され、トレイパネル５２が適合する凹部、５４は、凹部５３内に形成され、トレイ５１が遊嵌する開口部、５５は開口部５４の周縁部に設けられた弾性体を示す。
【０００７】
図１３に示すように、トレイパネル５２が嵌合するフロントパネル５０の凹部５３に、スポンジ等の弾性にすぐれた材料を貼り付け、トレイパネル５２を弾性体５５に押し付けることにより、密封性が確保される。その結果、フロントパネル５０の開口部５４と、この開口部５４を塞ぐ役目を持つトレイパネル５２との間に生じる隙間が、図１４（ｂ）に示すように弾性体５５によって埋められ、塵埃の侵入を防ぐことが可能になる。
【０００８】
【発明が解決しようとする課題】
前者の二方法においては、部品のばらつき、組み立て上のばらつき、部品間のガタによって生じる開口部の隙間（塵埃の侵入経路）を新たな部品を追加することにより遮蔽する構造となっている。このような方法によれば、ばらつきを気にすることなく、侵入経路を遮蔽することができるが、部品追加により部品費および組み立て費がかかるためコストアップにつながってしまう。また、部品点数の増加による信頼性の低下といった観点から考えると、安易に実施することができない。
【０００９】
一方、後者の方法は、隙間部分に相当する箇所にスポンジなどの弾性体を配置し、二部品間に生じる機構上のガタを、弾性体により吸収し、ドライブ内部の密封性を確保している。この方法は、追加部品点数も少なく、簡易な方法と思われる。
【００１０】
しかし、製造工程においては、このスポンジ状の弾性体は、貼り付け面積が少ないといった理由により、作業性が悪い場合が多い。また、その弾性体は、ユーザから見える位置に貼られることになり、外観上も好ましくない。また、両面テープなどで貼り付けるため、動作時に剥がれる可能性もある。
【００１１】
本発明は、このような問題点を解決し、追加部品を抑え、かつスポンジなどの弾性体を貼り付けることなく、内部の密封性を確保する構成を実現した光ディスク装置を提供することを目的とする。
【００１２】
【課題を解決するための手段】
前記目的を達成するため、請求項１に係る発明は、記録媒体を保持するトレイと、このトレイを移動させて記録媒体をロードあるいはアンロードするローディング機構と、記録媒体に対して記録／再生を行う光ピックアップ装置と、前記トレイ、前記ローディング機構および前記光ピックアップ装置を収納する筐体と、この筐体に取り付けられ、かつ記録媒体の挿入口を有するフロントパネルと、前記トレイに取り付けられ、前記トレイを移動させることによって前記挿入口を開閉させるトレイパネルとを備えた光ディスク装置において、前記トレイパネルにおける前記トレイとの対向面にボスを立設させ、かつ前記トレイに前記ボスの移動を規制する溝部を設け、前記トレイパネルにばね性を有する係合部を一体成型によって形成し、前記係合部を前記トレイの一部に、前記トレイパネルを前記トレイに対して密着／離間可能に挟持させたことを特徴とする。このように構成したことにより、アンロード時にはトレイパネルがトレイに押し付けられ、ロード完了時にはトレイパネルがフロントパネルに押し付けられる。この際、係合部のばね性によってトレイパネルが押し出されることにより、二部品間のガタを吸収し、密封性を確保することが可能になり、さらに、トレイパネルとトレイにおけるボスと溝部による移動規制構造を備えたため、トレイとトレイパネルの相対的な位置ずれを防止することができる。
【００１３】
請求項２に係る発明は、記録媒体を保持するトレイと、このトレイを移動させて記録媒体をロードあるいはアンロードするローディング機構と、記録媒体に対して記録／再生を行う光ピックアップ装置と、前記トレイ、前記ローディング機構および前記光ピックアップ装置を収納する筐体と、この筐体に取り付けられ、かつ記録媒体の挿入口を有するフロントパネルと、前記トレイに取り付けられ、前記トレイを移動させることによって前記挿入口を開閉させるトレイパネルとを備えた光ディスク装置において、前記トレイにおける前記トレイパネルとの対向面にボスを立設させ、かつ前記トレイパネルに前記ボスの移動を規制する溝部を設け、前記トレイにばね性を有する係合部を一体成型によって形成し、前記トレイパネルに前記係合部に係合する被係合部を設け、前記係合部を前記被係合部に、前記トレイパネルを前記トレイに対して密着／離間可能に取り付けたことを特徴とする。このように構成したことにより、アンロード時にはトレイパネルがトレイに押し付けられ、ロード完了時にはトレイパネルがフロントパネルに押し付けられる。この際、係合部のばね性によってトレイパネルが押し出されることにより、二部品間のガタを吸収し、密封性を確保することが可能になり、さらに、トレイとトレイパネルにおけるボスと溝部による移動規制構造を備えたため、トレイとトレイパネルの相対的な位置ずれを防止することができる。
【００１４】
請求項３に係る発明は、請求項１または２に係る発明において、トレイにおけるトレイパネルと対向する面の一部を傾斜面としたことを特徴とする。このように構成したことにより、組み立て工程において、その傾斜面に沿ってトレイパネルをトレイに組み付けることにより、組み立てやすく、かつ、組み付け完了後は、ロード完了時にトレイパネルとフロントパネルを密着させる方向に付勢させることができる。
【００１５】
請求項４に係る発明は、請求項１または２に係る発明において、トレイパネルにおけるトレイと対向する面の一部を傾斜面としたことを特徴とする。このように構成したことにより、組み立て工程において、その傾斜面に沿ってトレイパネルをトレイに組み付けることにより、組み立てやすく、かつ、組み付け完了後は、ロード完了時にトレイパネルとフロントパネルを密着させる方向に付勢させることができる。
【００１６】
請求項５に係る発明は、請求項１または３に係る発明において、トレイにおける係合部の当接部位に、前記係合部の一部が嵌合する溝を設けたことを特徴とする。このように構成したことにより、組み付け後においては、取り付け方向に対してトレイパネルがトレイから外れにくい構造とすることができる。
【００１７】
請求項６に係る発明は、請求項２または４に係る発明において、トレイパネルにおける係合部の当接部位に、前記係合部の一部が嵌合する溝を設けたことを特徴とする。このように構成したことにより、組み付け後においては、取り付け方向に対してトレイパネルがトレイから外れにくい構造とすることができる。
【００１８】
【発明の実施の形態】
以下、本発明の実施形態について、図面を参照しながら詳細に説明する。
【００１９】
図１は本発明の実施形態を説明するための第１参考例における光ディスク装置の概略構成を示す分解斜視図であり、１は光ディスク装置、２はディスク状の記録媒体、３は記録媒体２を載置するトレイ、４は、トレイ３を光ディスク装置１本体の内外に移動させるとともに、記録媒体２をロードあるいはアンロードさせるローディング機構、５は記録媒体２に対して情報を読み書きする光ピックアップ装置、６は各種制御回路を有するプリント回路基板、７は光ディスク装置１の下部の外装カバーとなるボトムカバー、８は光ディスク装置１の上部および側部の外装カバーとなるトップカバー、９はトレイ３に載置された記録媒体２が出入りする開口部９ａを有するフロントパネル、１０は、トレイ３に設けられ、ローディング完了時に開口部９ａを閉じるトレイパネルを示す。
【００２０】
なお、説明の便宜上、光ディスク装置１本体の外側にトレイ３を移動させる方向を前あるいは前側、光ディスク装置１本体の内側にトレイ３を移動させる方向を後あるいは後側と称することにする。
【００２１】
ボトムカバー７上に、プリント回路基板６，光ピックアップ装置５，トレイ３およびローディング機構４を装着し、トップカバー８を取り付け、ボトムカバー７およびトップカバー８の前側にフロントパネル９を取り付け、フロントパネル９の外側からトレイ３の前面部にトレイパネル１０を取り付けることにより、光ディスク装置１が構成される。
【００２２】
図２は図１の装置におけるトレイに対するトレイパネルの取り付け構造を示す平面図であり、図２（ａ）はトレイ搬送中の状態、図２（ｂ）はトレイ搬送完了時の状態を示すものである。
【００２３】
トレイ３の前側の両側部には切り欠き部３ａが形成されており、トレイパネル１０の後面の両端部には切り欠き部３ａに係合するばね部１０ａが形成されている。トレイパネル１０は樹脂によって構成されており、ばね部１０ａはトレイパネル１０と一体成型によって形成される。また、ばね部１０ａは略レ字状によって形成されており、トレイパネル１０の両端に対して若干中央よりに立設している。そして、ばね部１０ａが切り欠き部３ａに嵌合し、ばね部１０ａとトレイパネル１０との間にトレイ３の両端部が挟みつけられることによって、トレイパネル１０がトレイ３に保持される。また、フロントパネル９前面における開口部９ａの周囲は段状に形成されており、開口部９ａの長手方向の幅は両端部のばね部１０ａ，１０ａの間隔より大きく、トレイパネル１０の長手方向の幅より小さく設定されている。そのため、ローディング完了時にトレイパネル１０の両端部がフロントパネル９の前面に当接する。
【００２４】
トレイ３を装置本体の外部に移動させた際には、図２（ａ）に示すように、ばね部１０ａがトレイ３をトレイパネル１０に引き付ける方向に付勢することにより、トレイパネル１０がトレイ３の前面に密着した状態で保持される。
【００２５】
そして、トレイ３が光ディスク装置１本体外に引き出された状態からトレイ３のローディングを実行すると、トレイ３は図中矢印方向（右側）に移動を始め、ロード完了を検出するスイッチ（図示せず）の状態が変わった時点で、図２（ｂ）に示すように、ロード動作を完了する。この時、フロントパネル９の前面とトレイパネル１０の前面とが略同一平面になる。
【００２６】
ロード完了を検出するスイッチは、部品のばらつき，および組立のばらつきなどがあっても、トレイパネル１０とフロントパネル９とが密着（干渉）してからロード完了を検出するように設計しておく。
【００２７】
ロード完了時点では、図２（ｂ）に示すように、トレイパネル１０の両端部がフロントパネル９における開口部９ａの縁部に当接し、トレイパネル１０がトレイ３の前面から離間し、トレイパネル１０がフロントパネル９に密着した状態で保持される。すなわち、トレイパネル１０に設けたばね部１０ａの弾性変形によってトレイパネル１０とフロントパネル９との干渉分が吸収される。
【００２８】
このように構成したことにより、従来のように弾性体を用いることなくしかも簡単な構成で開口部９ａの密閉性を向上させることが可能になり、塵埃の侵入を防ぐことができる。
【００２９】
図３は第２参考例における光ディスク装置の要部構成となるトレイに対するトレイパネルの取り付け構造を示す平面図であり、図３（ａ）はトレイ搬送中の状態、図３（ｂ）はトレイ搬送完了時の状態を示すものである。
【００３０】
この第２参考例は、図２に示す第１参考例における切り欠き部３ａに図３に示す板ばね部３ｂを形成し、図２に示すばね部１０ａの代わりに鉤状の係合部１０ｂを形成したものである。なお、係合部１０ｂは弾性変形するものではない。
【００３１】
トレイパネル１０は樹脂によって構成されており、係合部１０ｂはトレイパネル１０と一体成型によって形成される。また、トレイ３は樹脂によって構成されており、切り欠き部３ａおよび板ばね部３ｂはトレイ３と一体成型によって形成される。そして、板ばね部３ｂを係合部１０ｂに係合させた際に、板ばね部３ｂが開く方向に弾性変形することにより、トレイパネル１０がトレイ３またはフロントパネル９に密着した状態で保持される。
【００３２】
トレイ３を装置本体の外部に移動させた際には、図３（ａ）に示すように、板ばね部３ｂがトレイパネル１０をトレイ３側に引き付ける方向に付勢することにより、トレイパネル１０がトレイ３の前面に密着した状態で保持される。
【００３３】
そして、トレイ３が光ディスク装置１本体外に引き出された状態からトレイ３のローディングを実行すると，トレイ３は図中矢印方向（右側）に移動を始め、ロード完了を検出するスイッチ（図示せず）の状態が変わった時点で、図３（ｂ）に示すように、ロード動作を完了する。この時、フロントパネル９の前面とトレイパネル１０の前面とが略同一平面になる。
【００３４】
ロード完了時点では、図３（ｂ）に示すように、トレイパネル１０の両端部がフロントパネル９における開口部９ａの縁部に当接し、トレイパネル１０がトレイ３の前面から離間し、トレイパネル１０がフロントパネル９に密着した状態で保持される。すなわち、トレイ３に設けた板ばね部３ｂが閉じるように弾性変形することによってトレイパネル１０とフロントパネル９との干渉分が吸収される。
【００３５】
このように構成したことにより、第１参考例と同様に、従来のように弾性体を用いることなくしかも簡単な構成で開口部９ａの密閉性を向上させることが可能になり、塵埃の侵入を防ぐことができる。
【００３６】
図４は本発明の第１実施形態における光ディスク装置の要部構成となるトレイに対するトレイパネルの取り付け構造を示す平面図であり、図４（ａ）はトレイ搬送中の状態、図４（ｂ）はトレイ搬送完了時の状態を示すものであり、２０はボスを示す。なお、図２に示す第１参考例における部材と同一の部材については同一の符号を付して詳細な説明は省略した。
【００３７】
トレイパネル１０の後面には、複数のボス２０がローディング方向に立設されており、ボス２０に対向するトレイ３の部位には、ボス２０が入る溝３ｃが設けられている。そのため、ばね部１０ａによって、トレイパネル１０がトレイ３に対して搬送方向に移動しても、ボス２０によってトレイパネル１０が搬送方向にガイドされ、直交する方向への移動が規制される。
【００３８】
このように構成したことにより、搬送方向に対して直交する方向におけるトレイパネル１０とトレイ３との相対的な位置ずれが防止されるようになる。その結果、従来のように弾性体を用いることなくしかも簡単な構成で開口部９ａの密閉性を向上させることが可能になり、塵埃の侵入を防ぐことができるとともに、パネル３に対するトレイパネル１０の位置ずれを防止することが可能になる。
【００３９】
なお、第１実施形態の構成は、第１参考例の構成にボス２０および溝３ｃを設けたものであるが、同様の考え方で、第２参考例の構成におけるトレイパネル１０と対向するトレイ３の前面の部位にボスを設け、トレイパネル１０側にはボスをガイドする溝形状を設けても良く、このように構成したことにより、開口部９ａの密閉性をあげ、塵埃の侵入を防ぐとともに、トレイ３に対するトレイパネル１０の位置ずれを防止することが可能になる。
【００４０】
図５は本発明の第２実施形態における光ディスク装置の要部構成となるトレイに対するトレイパネルの取り付け構造を示す平面図、図６は図５のＡＡ線およびＢＢ線断面図、図７はトレイにトレイパネルを組み付けたときの構成を示す断面図である。なお、図２に示す第１参考例における部材と同一の部材については同一の符号を付して詳細な説明は省略した。
【００４１】
トレイパネル１０と対向するトレイ３の前面部の上側角部には傾斜面３ｄが形成されている。図６において、ａはトレイ３の傾斜面３ｄの最上位置から切り欠き部３ａにおける前側の面までの厚さ、ｂは傾斜面３ｄの最下位置（トレイ３の前面）から切り欠き部３ａにおける前側の面までの厚さ、ｃはトレイパネル１０の後面とばね部１０ａの先端部との隙間の大きさを示している。
【００４２】
この３寸法のａ，ｂ，ｃの大きさ関係は、ａ＜ｃ＜ｂとなっている。そのため、組み付け始めは、ａ＜ｃという寸法関係のため、ばね部１０ａの先端が切り欠き部３ａに嵌入しやすくなり、トレイパネル１０の後面を、トレイ３の前面部に設けられた傾斜面３ｄに沿って図中矢印方向に組み付けることにより、トレイパネル１０のトレイ３に対する組み付け性を向上させることができる。
【００４３】
なお、組み付け後は、図４に示す構成と同様にトレイパネル１０とトレイ３とはばね部１０ａによって互いに密着する方向に付勢される構造となる。
【００４４】
図８は本発明の第２実施形態における光ディスク装置の変形例を示す断面図、図９はトレイにトレイパネルを組み付けたときの構成を示す断面図である。なお、図５〜７に示す部材と同一の部材については同一の符号を付して詳細な説明は省略した。
【００４５】
図８に示す変形例は、図６に示す構成において、切り欠き部３ａにおける前側の壁面すなわちローディング時においてばね部１０ａが当接する面に、ばね部１０ａが嵌合する溝部３ｅを設けたものである。
【００４６】
図８に示すａ，ｂおよびｃは，図６に示す寸法と同様である。ｅはトレイ３の前面から溝部３ｅの底面までの厚さ、ｇはばね部１０ａが嵌合する溝部３ｅの幅、ｆはばね部１０ａの高さを示すものである。
【００４７】
各寸法の大きさ関係は、ｆ＜ｇ、およびａ＜ｃ＜ｅ＜ｂとなっている。その結果、組み付け始めはａ＜ｃという寸法関係のため、図５，図６に示す構成と同様に、トレイパネル１０におけるトレイ３との対向面を、傾斜面３ｄに沿って図中矢印方向に組み付けることにより、トレイパネル１０をトレイ３に組み付けることが容易に可能となる。
【００４８】
さらに組み付け後は、図９に示すように、ばね部１０ａがトレイ３に設けられた溝部３ｅに嵌合するため、図中の上下方向に対してトレイパネル１０がトレイ３からはずれにくい構造になる。
【００４９】
なお、第２実施形態は、第１参考例の構成におけるトレイ３に傾斜面３ｄまたは傾斜面３ｄと溝部３ｅを設けたものであるが、同様の考え方で、第２参考例の構成におけるトレイ３の前面部の上側角部には傾斜面を設け、傾斜面の最上位置から板ばね部３ｂの先端部までの間隔より、トレイパネル１０の後面から係合部１０ｂの内側壁面までの間隔が大きくなるように設定することにより、組み立て性を向上させることができる。また、係合部１０ｂの内側壁面に溝部を設けることにより、図中の上下方向に対してトレイパネル１０がトレイ３からはずれにくい構造になる。
【００５０】
図１０は本発明の第３実施形態における光ディスク装置の要部構成となるトレイに対するトレイパネルの取り付け構造を示す平面図、図１１は図１０のＣＣ線およびＤＤ線断面図、図１２はトレイにトレイパネルを組み付けたときの構成を示す断面図である。なお、図２に示す第１参考例における部材と同一の部材については同一の符号を付して詳細な説明は省略した。
【００５１】
トレイ３の前面部と対向するトレイパネル１０の下側角部には傾斜面１０ｃが形成されている。図１１において、ｂはトレイ３の前面から切り欠き部３ａにおける前側の壁面までの厚さ、ｃはトレイパネル１０の後面からばね部１０ａの先端までの隙間の大きさ、ｄはトレイパネル１０の後面における傾斜面の最下部からからばね部１０ａの先端までの隙間の大きさを示している。
【００５２】
この３寸法のｂ，ｃ，ｄの大きさ関係は、ｃ＜ｂ＜ｄとなっている。そのため、組み付け始めは、ｂ＜ｄという寸法関係のため、ばね部１０ａの先端が切り欠き部３ａに嵌入しやすくなり、トレイパネル１０に設けられた傾斜面１０ｃをトレイ３の前面に沿って図中矢印方向に組み付けることにより、トレイパネル１０のトレイ３に対する組み付け性を向上させることができる。なお、組み付け後は、図４に示す構成と同様にトレイパネル１０とトレイ３とはばね部１０ａによって互いに密着する方向に付勢される構造となる。
【００５３】
なお、第３実施形態は、第１参考例の構成におけるトレイ３の前面部と対向するトレイパネル１０の下側角部には傾斜面１０ｃを設けたものであるが、同様の考え方で、第２参考例の構成におけるトレイパネル１０の下側角部には傾斜面を設け、トレイ３の前面から板ばね部３ｂの先端部までの間隔より、トレイパネル１０の傾斜面の最下位置から係合部１０ｂの内側壁面までの間隔が大きくなるように設定することにより、組み立て性を向上させることができる。
【００５４】
【発明の効果】
以上、説明したように構成された本発明によれば、部品点数を増やすことなく、簡易な構成で記録媒体の挿入口の密封性を向上させることが可能になり、塵埃の侵入を防止し、さらに、記録媒体の挿入部におけるトレイとトレイパネルの相対的な位置ずれを防止することができ、光ディスク装置の性能を維持することが可能になる。
【図面の簡単な説明】
【図１】本発明の実施形態を説明するための第１参考例における光ディスク装置の概略構成を示す分解斜視図
【図２】図１の装置におけるトレイに対するトレイパネルの取り付け構造を示す平面図
【図３】第２参考例における光ディスク装置の要部構成となるトレイに対するトレイパネルの取り付け構造を示す平面図
【図４】本発明の第１実施形態における光ディスク装置の要部構成となるトレイに対するトレイパネルの取り付け構造を示す平面図
【図５】本発明の第２実施形態における光ディスク装置の要部構成となるトレイに対するトレイパネルの取り付け構造を示す平面図
【図６】図５のＡＡ線およびＢＢ線断面図
【図７】図６におけるトレイにトレイパネルを組み付けたときの構成を示す断面図
【図８】本発明の第２実施形態における光ディスク装置の変形例を示す断面図
【図９】図８におけるトレイにトレイパネルを組み付けたときの構成を示す断面図
【図１０】本発明の第３実施形態における光ディスク装置の要部構成となるトレイに対するトレイパネルの取り付け構造を示す平面図
【図１１】図１０のＣＣ線およびＤＤ線断面図
【図１２】図１１におけるトレイにトレイパネルを組み付けたときの構成を示す断面図
【図１３】従来技術を示す説明図
【図１４】従来技術を示す説明図
【符号の説明】
１  光ディスク装置
２  記録媒体
３  トレイ
３ａ  切り欠き部
３ｂ  板ばね部
３ｃ  溝
３ｄ，１０ｃ  傾斜面
３ｅ  溝部
４  ローディング機構
５  光ピックアップ装置
６  プリント回路基板
７  ボトムカバー
８  トップカバー
９  フロントパネル
９ａ  開口部
１０  トレイパネル
１０ａ  ばね部
１０ｂ  係合部
２０  ボス
【図１】
0004058277.tif 000002
【図２】
0004058277.tif 000003
【図３】
0004058277.tif 000004
【図４】
0004058277.tif 000005
【図５】
0004058277.tif 000006
【図６】
0004058277.tif 000007
【図７】
0004058277.tif 000008
【図８】
0004058277.tif 000009
【図９】
0004058277.tif 000010
【図１０】
0004058277.tif 000011
【図１１】
0004058277.tif 000012
【図１２】
0004058277.tif 000013
【図１３】
0004058277.tif 000014
【図１４】
0004058277.tif 000015